(57)【要約】      （修正有）【課題】より容易に持ち運ぶことができ、打面を把持することなく、また楔の脱落を防止し、破損しにくい締太鼓を提供する。【解決手段】本太鼓１は、筒状の胴部材と、該胴部材に張られる一対の皮部材３と、該一対の皮部材３に交互に通され、皮部材３を締め上げる第一の縄部材と、胴部材の周囲にかみ合わされるよう配置され、縄部材を締め上げるとともに貫通孔が形成された複数の楔部材と、胴部材の周方向に間隙が形成されるよう第一の縄部材に接続される把持部材６と、楔部材の貫通孔に通され、楔部材を繋ぐ第二の縄部材と、皮部材３の少なくとも一方の縁周辺に配置される第三の縄部材８を有する。【選択図】図１
0003174337.tif 000002
【実用新案登録請求の範囲】
【請求項１】
筒状の胴部材と、
前記胴部材に張られる一対の皮部材と、
前記一対の皮部材に交互に通され、前記皮部材を締め上げる第一の縄部材と、
前記胴部材の周囲にかみ合わされるよう配置され、前記縄部材を締め上げるとともに、貫通孔が形成された複数の楔部材と、
前記胴部材の周方向に間隙が形成されるよう前記第一の縄部材に接続される把持部材と、
前記楔部材の前記貫通孔に通され、前記楔部材を繋ぐ第二の縄部材と、
前記皮部材の少なくとも一方の縁周辺に配置される第三の縄部材と、を有する太鼓。
【請求項２】
前記皮部材の中心近傍に貼付される緩衝部材と、を有する請求項１記載の太鼓。
【考案の詳細な説明】
【技術分野】
【０００１】
本考案は、太鼓に関する。より具体的には、祭りの際、手に持ち打ち鳴らすことのできる締太鼓に関する。
【背景技術】
【０００２】
太鼓は、中空の筒形状の胴と、この胴の両面に皮を張り、この皮を敲くことで音を鳴らすことのできる打楽器である。
【０００３】
太鼓の中でも、和太鼓は、日本の祭りを盛り上げるために欠かすことのできない楽器であり、手に持ち打ち鳴らすことができれば特に便利である。
【０００４】
手に持ち打ち鳴らすことのできる和太鼓としては、例えば、筒形状の胴と、この筒の両面に皮を張り、この両面の皮に縄を交互に通して締め上げ、更に胴の周囲に縄を締めるよう楔を配置する締太鼓がある。この締太鼓は、チヂンとして奄美大島の特産品となっている。
【考案の概要】
【考案が解決しようとする課題】
【０００５】
上記締太鼓は、楔により縄の張り具合を調節することが可能であり、非常に有用なものであるが、持ち運びをより容易に行わせ、祭りの際に打ち鳴らすことができればより便利なものとなる。
【０００６】
しかしながら、持ち運ぶためには、手で把持しなければならないが、太鼓の打面を把持してしまうと太鼓の振動（響き）を阻害してしまうといった課題がある。また、持ち運び、更には踊りなどの激しい動きを行うと、この楔による締め付けが緩み、更には脱落してしまう虞がある。また、持ち歩く場合、太鼓が様々な物に接触する恐れもあり、接触によって破損するおそれも少なくない。
【０００７】
そこで、本考案は、上記課題を鑑み、より容易に持ち運ぶことができ、打面を把持することなく、また楔の脱落を防止し、破損しにくい締太鼓を提供することを目的とする。
【課題を解決するための手段】
【０００８】
本考案の一観点に係る締太鼓は、筒状の胴部材と、胴部材に張られる一対の皮部材と、一対の皮部材に交互に通され、皮部材を締め上げる第一の縄部材と、胴部材の周囲にかみ合わされるよう配置され、第一の縄部材を締め上げるとともに、貫通孔が形成された複数の楔部材と、胴部材の周方向に間隙が形成されるよう第一の縄部材に接続される把持部材と、楔部材の前記貫通孔に通され、楔部材を繋ぐ第二の縄部材と、皮部材の少なくとも一方の縁周辺に配置される第三の縄部材と、を有する。
【考案の効果】
【０００９】
そこで、本考案は、上記課題を鑑み、より容易に持ち運ぶことができ、打面を把持することなく、また楔の脱落を防止し、破損しにくい締太鼓を提供することができる。
【図面の簡単な説明】
【００１０】
【図１】実施形態に係る締太鼓の正面を示す概略図である。
【図２】実施形態に係る締太鼓の一側面を示す概略図である。
【図３】実施形態に係る締太鼓の一側面を示す概略図である。
【図４】実施形態に係る締太鼓の皮部材及び第一の縄部材の概略を示す図である。
【図５】実施形態に係る締太鼓の楔部材及び第二の縄部材の概略を示す図である。
【図６】実際に作成した締太鼓の写真図である。
【図７】実際に作成した締太鼓の写真図である。
【考案を実施するための最良の形態】
【００１１】
以下、本考案の実施形態について図面を用いて詳細に説明する。ただし、本考案は多くの異なる形態による実施が可能であり、以下に示す実施形態の例示にのみ限定されるものではない。
【００１２】
図１は、本実施形態に係る締太鼓の正面の概略を示す図であり、図２は一側面から見た場合の概略図であり、図３は他の一側面から見た場合の概略図である。
【００１３】
本図で示すとおり、本実施形態に係る締太鼓１は、筒状の胴部材２と、胴部材２に張られる一対の皮部材３と、一対の皮部材３に交互に通され、皮部材３を締め上げる第一の縄部材４と、胴部材３の周囲にかみ合わされるよう配置され、第一の縄部材４を締め上げるとともに、貫通孔５１が形成された複数の楔部材５と、胴部材の周方向に間隙が形成されるよう第一の縄部材４に接続される把持部材６と、楔部材５の貫通孔５１に通され、楔部材５を繋ぐ第二の縄部材７と、皮部材の少なくとも一方の縁周辺に配置される第三の縄部材８と、を有する。
【００１４】
本実施形態において胴部材２は、本太鼓１の主要な骨格となる部材であり、上記のとおり筒状となっている。胴部材２の材質としては、皮部材３を安定的に保持することができる限りにおいて限定されるわけではないが、例えば木材、金属、樹脂等を採用することができる。
【００１５】
本実施形態において、胴部材２の形状は筒状であり、本実施形態で示すように中間で膨らんだ形状となっていてもよい。また開口部の縁は円形状となっていることが好ましく、この場合の径は適宜調整可能であり限定されないが、例えば１５ｃｍ以上５０ｃｍ以下の範囲にあることが好ましい。また本実施形態において、胴部材２の厚さ（一対の開口部の縁間の距離をいう。）も、適宜調整可能であるが、持ち運びの観点から５ｃｍ以上２５ｃｍ以下の範囲にあることが好ましい。
【００１６】
本実施形態において、皮部材３は、一対で形成されており、胴部材の一対の開口部それぞれに張られ表面を形成する部材であり、撥により殴打されることで空気が振動し、音を発生させる。皮部材３の材質としては、音を発することができる程度に張ることができるものである限りにおいて限定されるわけではないが、例えば牛等の皮を用いた天然皮革であってもよく、布や合成樹脂等を用いた人工皮革であってもよく、特に限定されない。
【００１７】
本実施形態において、一対の皮部材３には第一の縄部材４が交互に通され、胴部材２の周方向にジグザグ巻かれている。この概略図を図４に示しておく。なお本図において第三の縄部材は省略してある。本実施形態において、第一の縄部材４は、皮部材３をしっかりと張る程度に引張り強い部材である限りにおいて限定されるわけではないが、径が１ｍｍ以上１０ｍｍ以下のものであることが好ましく、１ｍｍ以上５ｍｍ以下であることがより好ましい。１ｍｍ以上とすることで十分な強度を確保することができ、１０ｍｍ以下とすることでコンパクトに胴周囲に巻きまわすことができ、５ｍｍ以下とすることでこの効果がより顕著となる。なお本実施形態において「第一の縄部材」の「第一」とは、後述の「第二の縄部材」、「第三の縄部材」と区別するために用いられる表現に過ぎず、この「第一」の文言のみが技術的な意味を有するものではない。またこのことは後述の「第二の縄部材」、「第三の縄部材」において同様である。
【００１８】
また本太鼓１では、楔部材５が胴部材２の周囲に配置されている。より具体的には、各楔部材５は、第一の縄部材４と胴部材２の隙間に打ち込まれており、隣接する楔部材に第一の縄部材４を介して挟み込まれている。すなわち、楔部材５は第一の縄部材４を介して皮部材３を締め上げるとともに、複数の楔部材によって互いに強固に挟み合っている。なおこの概略図を図５に示しておく。
【００１９】
本実施形態における楔部材５の形状としては、上記機能を有する限りにおいて限定されるわけではないが、略三角形状となっていることが好ましく、この三角形の少なくとも一辺は一定の曲率をもって曲がっていることが好ましい。このようにすることで太鼓の曲面に沿って安定的に配置することができるようになる。
【００２０】
また本実施形態において、楔部材５には側面に貫通孔５１が形成されており、この貫通孔５１に第二の縄部材７が通されている。この結果、複数の楔部材５は第二の縄部材７によってつながれている。これによって、複数の楔部材５は強固に接続され、持ち運んだ場合であっても緩みにくく、仮に緩んだとしても脱落の虞が非常に少なくなり有用である。なお貫通孔５１の径としては、第二の縄部材７を通すことができる限りにおいて限定されるわけではないが、径が２ｍｍ以上２０ｍｍ以下、より好ましくは１０ｍｍ以下である。
【００２１】
本実施形態において、第二の縄部材７は、上記楔部材５をしっかりと繋ぎとめることができる程度に引張り強い部材である限りにおいて限定されるわけではないが、径が１ｍｍ以上１０ｍｍ以下のものであることが好ましく、１ｍｍ以上５ｍｍ以下であることがより好ましい。１ｍｍ以上とすることで十分な強度を確保することができ、１０ｍｍ以下とすることでコンパクトに胴周囲に巻きまわすことができ、５ｍｍ以下とすることでこの効果がより顕著となる。
【００２２】
また本太鼓１には、胴部材２の周方向に貫通した間隙が形成されるよう第一の縄部材４に接続される把持部材６を有している。使用者はこの把持部材６を把持することで本太鼓１を把持しつつ持ち運び、安定的に敲くことが可能となる。使用者は、把持部材６そのものを握ることで本太鼓１を持つことができるが、本太鼓１では間隙が周方向に貫通しているため、この貫通孔に手を挿入し、手のひらで胴部材及び楔部材に押し付け、手の甲に把持部材６を押し当てることでより強固に太鼓を手に固定することができる。このようにすれば太鼓の表面（敲き面）を手のひらで触る虞を格段に少なくすることができ、よい音を安定的に発することができる。
【００２３】
本実施形態の把持部材６の形状としては、限定されるわけではないが、例えば図３で示すように、長方形とし、その短辺側、又は四隅に縄を取り付けたものであることが好ましい一例である。このようにすることで把持部材の縄を第一の縄部材４に巻きつけてアーチを形成することができる。
【００２４】
また本太鼓１では、一対の皮部材の縁周辺に配置される第三の縄部材８を有する。第三の縄部材は、皮部材の縁周辺、更には第一の縄部材４の上に配置されており、太鼓が様々な物（以下「接触物」という。）が皮部材３や第一の縄部材４等を傷つけてしまうことを防止するためのものである。より具体的には、接触物が皮部材３や第一の縄部材４に接触する前にこの第三の縄部材８に接触するため、皮部材３や第一の縄部材４等に接触物が接触するおそれが少なくなる。なお、この第三の縄部材８は、皮部材の縁周辺に配置できる限りにおいて限定されないが、第一の縄部材３に紐によって結び付けられていることが簡便であり好ましい。
【００２５】
本実施形態において、第三の縄部材８は、皮部材や第一の縄部材を接触物から守ることができる程度に太いものであることが好ましく、例えば径が５ｍｍ以上２０ｍｍ以下のものであることが好ましく、５ｍｍ以上１５ｍｍ以下であることがより好ましい。５ｍｍ以上とすることで十分な強度を確保することができ、２０ｍｍ以下とすることでコンパクトに胴周囲に巻きまわすことができ、１５ｍｍ以下とすることでこの効果がより顕著となる。
【００２６】
また本実施形態では、皮部材３の中心近傍に緩衝部材９が貼付されている。このようにすることで、接触物が皮部材３に接触する場合でも、緩衝部材によって衝撃が緩和され、皮部材３を傷つける虞が格段に少なくなる。なお、この緩衝部材は、音の振動に与える影響をできるだけ避けようとする場合によっては設けないという選択も可能である。
【００２７】
すなわち、本太鼓１は、胴部材の周方向に間隙が形成されるよう第一の縄部材に接続される把持部材を有しているため、手のひらと手の甲を押し付けることで安定的に保持することが可能となり、楔部材の貫通孔に通されて楔部材を繋ぐ第二の縄部材を有することで楔部材を安定的に固定し、更に脱落の虞を格段に少なくし、また皮部材の縁周辺に配置される第三の縄部材を有することで、接触物が皮部材及び第一の縄部材を傷つけてしまうことを防止することができるようになり、更に、皮部材の中心近傍に貼付される緩衝部材を有することで皮部材への接触物の接触を防止することができるようになる。すなわち、より容易に持ち運ぶことができ、打面を把持することなく、また楔部材の脱落を防止し、破損しにくい締太鼓を提供することができるようになる。なお、実際に作成した太鼓の写真図を図６、図７にそれぞれ示しておく。
【産業上の利用可能性】
【００２８】
本考案は、締太鼓として産業上の利用可能性がある。
【図１】
0003174337.tif 000003
【図２】
0003174337.tif 000004
【図３】
0003174337.tif 000005
【図４】
0003174337.tif 000006
【図５】
0003174337.tif 000007
【図６】
0003174337.tif 000008
【図７】
0003174337.tif 000009